(57)【要約】      （修正有）【課題】運搬上等の取り扱いに優れ、しかも長期的な品質を保つことができる組立式プランタボックスを提供する。【解決手段】外面側が第１の住宅用窯業系外装材の化粧表面とした４つの外面組立ユニット片２ａと、内面側が第２の住宅用窯業系外装材の化粧表面とした４つの内面組立ユニット片２ｂと、１つの底面組立ユニット片とからなる組立式プランタボックス１。【選択図】図１
0003116932.tif 000002
【実用新案登録請求の範囲】
【請求項１】
住宅用窯業系外装材を用いた組立式プランタボックスにおいて、外面側が第１の住宅用窯業系外装材の化粧表面とした４つの外面組立ユニット片と、内面側が第２の住宅用窯業系外装材の化粧表面とした４つの内面組立ユニット片と、１つの底面組立ユニット片とからなる組立式プランタボックス。
【請求項２】
住宅用窯業系外装材を用いた組立式プランタボックスにおいて、外面側が住宅用窯業系外装材の化粧表面とし内面側が塗装または樹脂フィルム貼りされている住宅用窯業系外装材の裏面とした４つの外面組立ユニット片と、１つの底面組立ユニット片とからなる組立式プランタボックス。
【考案の詳細な説明】
【技術分野】
【０００１】
本考案は、植物の栽培容器、いわゆるプランタボックスに関するものである。
【背景技術】
【０００２】
花、樹木等の鑑賞や栽培にはプランタボックスが多く利用され、植え付ける植物の大きさなどの利用目的により各種のものが使い分けられている。
一般的にはプランタボックスは木製、プラスチック製、ＧＲＣ製（ガラス繊維補強コンクリート）などがあり、プラスチック製やＧＲＣ製は一体成型により形成されているものが多く、例えば歩道上とか各種イベント会場などには質感や周囲との調和及び不燃性を要求されることから、ＧＲＣ製の比較的大型なものが用いられることが多い。
このようなＧＲＣ製の一体成形プランタボックスはその構成上重く、また製造上や搬送上、取り扱いが非常に不便である。
そのために、プランタボックスを数個のユニット片として、適宜連結して所要の大きさに組み立てることが提供されており、主な材質としては、加工性及び扱い安さから木材がよく使用される。
しかし、木製の場合には雨水等により腐食が進み、長期的な品質が保てない場合があり、公共の場で不燃性が要求されるエリアでは使用が避けられる。
ところで、住宅用窯業系外装材においては、物性的にはなんの問題もないものの、端部が運搬中に欠けてしまったりして不良板になるものがあり、例えば幅４５５ｍｍ、長さ３０３０ｍｍの窯業系外装材が、わずか１cm角の欠けで、すべて不良板となる現実があり、非常に不経済であった。
【特許文献１】特許第３５１０６６１号公報
【特許文献２】昭和６１年公開実用新案第１９７８４７号公報
【考案の開示】
【考案が解決しようとする課題】
【０００３】
本考案は、木製のプランタボックスのように軽くて、組み立てができ、取り扱いが簡単で、しかも、ＧＲＣ製のプランタボックスのように、不燃性で、長期的な品質を保つことができるプランタボックスを提供するものである。
【課題を解決するための手段】
【０００４】
上記の課題を解決するために本請求項１に記載の考案は、住宅用窯業系外装材を用いた組立式プランタボックスにおいて、外面側が第１の住宅用窯業系外装材の化粧表面とした４つの外面組立ユニット片と、内面側が第２の住宅用窯業系外装材の化粧表面とした４つの内面組立ユニット片と、１つの底面組立ユニット片とからなる組立式プランタボックスである。
住宅用窯業系外装材を組立ユニット片に使用しているので、木製のような腐食は起こらず、不燃性であり、長期的な品質を保つことができ、また、ＧＲＣ製のように重くないので、取り扱いが簡単である。
また、いろいろな色、柄の選択ができ、例えば、住宅の外装と合わせて見たりすることもできる。
【０００５】
また、本請求項２に記載の考案は、住宅用窯業系外装材を用いた組立式プランタボックスにおいて、外面側が住宅用窯業系外装材の化粧表面とし内面側が塗装または樹脂フィルム貼りされている住宅用窯業系外装材の裏面とした４つの外面組立ユニット片と、１つの底面組立ユニットとからなる組立式プランタボックスである。
外面のみの組立ユニット片に使用する住宅用窯業系外装材の裏面に塗装または樹脂フィルム貼りが施されているので、特に雨水等による汚れや浸蝕に強く、しかも内面の組立ユニット片がないぶん軽量な組立式プランタボックスが得られる。
【考案の効果】
【０００６】
本考案のプランタボックスは、外面側が第１の住宅用窯業系外装材の化粧表面とした４つの外面組立ユニット片と、内面側が第２の住宅用窯業系外装材の化粧表面とした４つの内面組立ユニット片と、１つの底面組立ユニット片とからなる組立式プランタボックスなので、腐食は起こらず、不燃性であり、長期的な品質を保つことができ、また、取り扱いが簡単でいろいろな色、柄の選択ができる。
また、住宅用窯業系外装材の裏面に塗装または樹脂フィルム貼りが施されているので、雨水等による汚れや浸蝕に強く、しかも内面の組立ユニット片がないぶん軽量な組立式プランタボックスが得られる。
【考案を実施するための最良の形態】
【０００７】
以下図面を用いて、本考案を実施するための最良の形態を説明する。
【実施例１】
【０００８】
図１は本考案のプランタボックスの斜視図である。
本発明のプランタボックス（１）は、住宅用窯業系外装材を組立ユニット片（２ａ、２ｂ）としている。
本考案でいう外面側とは、プランタボックスを見たときに見える外側のこと、内面側とは、土等を入れる内側のことをいう。
【０００９】
住宅用窯業系外装材には、セメントや、ケイ砂、補強繊維などを主原料として、
湿式製法、乾式製法、注型製法、押出成形などで製造される、いわゆる窯業系サイディング、ガラス繊維混入セメント板、パルプ混入セメント押出成形板、木繊維混入セメントけい酸カルシウム板、繊維混入セメントけい酸カルシウム板、硬質木片セメント板、スラグセメントパーライト板などが使用される。
表面にはエンボスによる柄形成や切削による溝形成などが行われ、さらに有機や無機の塗料が何重にも施された化粧表面となり、耐候性、耐凍性に非常にすぐれている。
反面、住宅用窯業系外装材の裏面は、施工上、下地との間の通気や、防水シートなどの使用により防水性等を確保された条件での使用を前提としており、その使用条件下で表裏面の透水量等を設定しているので、裏面は化粧表面ほどには何重も塗料が塗装されてはいない。
したがって、住宅用窯業系外装材をそのままプランタボックスの組立ユニット片とすることは、土や雨水が直接外装材裏面に当接することになり、裏面からの吸水による反りや耐凍性や耐候性に問題を生じる可能性がある。
そこで、住宅用窯業系外装材の裏面どうしを合わせて組み立てることによって、外面も内面も住宅用窯業系外装材の化粧表面が配置されるので、土や雨水等が直接当接しても、なんの問題もなく、耐凍性、耐候性に優れた組立式プランタボックスが得られる。
【００１０】
ここで、外面組立ユニット片（２ａ）の第１の住宅用窯業系外装材は石積調模様の化粧表面、また内面組立ユニット片（２ｂ）の第２の住宅用窯業系外装材は木目調模様の化粧表面を有している。
外面組立ユニット片（２ａ）、内面組立ユニット片（２ｂ）はそれぞれ、前後左右の四片を有し、底面組立ユニット片としては、内面組立ユニット片または外面組立ユニット片に使用した住宅用窯業系外装材のみでも構わない。
外面組立ユニット片（２ａ）と内面組立ユニット片（２ｂ）、および底面組立ユニット片（図示せず）とはビス（３）留めにより一体化される。
ビス留めは、内面側からビス留めし、外面側にビス先がでないように施工することが望ましいが、外面の柄によっては外面側からビス留めを行ってもよい。
例えば、図２のように外面組立ユニット片（２ａ）の化粧表面が木目調の模様であれば、外面側から、ビス留めしても意匠的にまったく違和感がない。
逆に図３のように外面組立ユニット片（２ａ）の化粧表面が石積柄であると、石積の中央にビス頭が確認されると、非常に違和感があり、見苦しい。  
ビス頭が確認されて違和感がない化粧表面は、木目調、漆喰調、コンクリート打放し調等、逆に違和感のある化粧表面は、石積調、レンガ調、タイル調等である。
これらの違和感の違いは、化粧目地が明確に縦方向、横方向共にあるかないかつまり柄が、石等を積んだような感じかどうかである。
外面組立ユニット片（２ａ）や内面組立ユニット片（２ｂ）には、非常に多くの種類（例えば、色、柄、含めて３５０品番）から自分の好みにあったものを選択することができる。
【００１１】
ここで、組立ユニット片の四つの側片のうち少なくとも一側片において予め外面組立ユニット片（２ａ）と内面組立ユニット片（２ｂ）とを合体させておくことが望ましい。
例えば、組立ユニットに、木目調化粧表面の住宅用窯業系外装材と石積調化粧表面の住宅用窯業系外装材とが入っていた場合、外面組立ユニット片（２ａ）に木目調化粧表面の住宅用窯業系外装材を使用する場合は、ビス留めを外面側から行ってビス頭が化粧表面に見えても違和感はない為に、組立時に問題はない。
しかし、外面組立ユニット片（２ａ）に石積調化粧表面の住宅用窯業系外装材を使用する場合には、ビス留めを外面側から行ってビス頭が化粧表面に見えてしまうと、表面柄に違和感があり、非常に見苦しいことになる。
その為に、ビス留めを内面側から行う必要がある。
その際、底面と、側片の三側片までは内面側から施工することができる。
例えば、まず、底面組立ユニット片（木目調化粧表面）の周りに三側面用の内面組立ユニット片（２ｂ）（木目調化粧表面）をビス等で取り付ける。
そのあと、外面組立ユニット片（２ａ）（石積調化粧表面）を三側面の内面組立ユニット片（２ｂ）（木目調化粧表面）の外側に取り付ける。
取り付けは内面組立ユニット片（２ｂ）（木目調化粧表面）から外面組立ユニッ
ト片（２ａ）（石積調化粧表面）に向かってビス留めを行う。
側面の一側片が施工されていないので、体や工具が内側に位置することができるので、容易に施工することができる。
【００１２】
次ぎに予め、外面組立ユニット片（２ａ）（石積調化粧表面）と内面組立ユニット片（２ｂ）（木目調化粧表面）とを合体させて一体化した側片を、まだ施工されていない面の側面に施工する。
外面組立ユニット片（２ａ）と内面組立ユニット片（２ｂ）とを予め合体させて一体化側片とするには、ビス留めすることが望ましい。
このとき、ビス留めは、ビス頭が確認されて違和感がない化粧表面から、ビス頭が確認されて違和感のある化粧表面に向かってビス留めされている。
今回は、木目調化粧表面から石積調化粧表面である。
寸法は、木目調化粧表面、石積調化粧表面の両方ともが、外面または内面のどちらにも使用できるように、一体化した側片の外面と内面との寸法は同じ寸法である。
この一体化側片を内面幅寸法や外面幅寸法等を計測し、一体化側片を切削加工し、まだ施工されていない側面に施工する。
【００１３】
底面組立ユニット片の下には、吸水のためのタンク等を設けてもよい。
また、内面組立ユニット片（２ｂ）と外面組立ユニット片（２ａ）の上端部に、端部部材（４）をさらに取り付けることが望ましい。
内面組立ユニット片（２ｂ）と外面組立ユニット片（２ａ）の上端部は住宅用窯業系外装材の側片が位置することになるが、従来の住宅用窯業系外装材の施工では、シーリング材や金具などを施工する場所に当たるので、当然、柄などはなく、そのため外面組立ユニット片（２ａ）と同様の住宅用窯業系外装材で端部部材（４）を取り付けると見栄えも良く、耐凍性も良い。
【実施例２】
【００１４】
次に、外面のみの組立ユニット片（２ａ）に使用する場合は、住宅用窯業系外装材の裏面には、塗装または樹脂フィルム貼り（５）を施す。（図４）
前記したように、住宅用窯業系外装材の裏面は、施工上、下地との間の通気や、防水シートなどの使用により防水性等を確保された条件での使用を前提としており、その使用条件下で表裏面の透水量等を設定しているので、裏面は化粧表面ほどには何重も塗料が塗装されてはいない。
したがって、住宅用窯業系外装材の化粧表面を外面に使用し、住宅用窯業系外装材の裏面をそのままプランタボックスの内面とすることは、土や雨水が直接裏面に当接することになり、裏面からの吸水による反りや耐凍性や耐候性に問題を生じる可能性がある。
そのため、裏面に塗装または樹脂フィルム貼りを施す。
塗装の場合は、住宅用窯業系外装材の化粧表面に使用する塗料を用いて、化粧表面同等の塗装を行えばよい。
樹脂フィルムを貼る場合、樹脂フィルムとしてはポリプロピレンフィルム等の防水性の高いものを貼着する。
塗装または樹脂フィルム貼りは組立式プランタボックスを組み立てる前に行っても良いし、組み立てた後に行っても良い。
裏面に塗装または樹脂フィルム貼りが施されているので、特に雨水等による汚れや浸蝕に強く、しかも内面の組立ユニット片がないぶん軽量な組立式プランタボックスが得られる。
【図面の簡単な説明】
【００１５】
【図１】本考案の組立式プランタボックスの斜視図
【図２】本考案の組立式プランタボックスの化粧表面の例（木目調）
【図３】本考案の組立式プランタボックスの化粧表面の例（石積調）
【図４】本考案の組立式プランタボックスの他例の斜視図
【符号の説明】
【００１６】
１    組立式プランタボックス
２ａ  外面組立ユニット片
２ｂ  内面組立ユニット片
３  ビス
４  端部部材
５  塗装または樹脂フィルム貼り
【図１】
0003116932.tif 000003
【図２】
0003116932.tif 000004
【図３】
0003116932.tif 000005
【図４】
0003116932.tif 000006